(57)【特許請求の範囲】
【請求項１】
水分を含浸させた後に気化させる帯状の気化フィルターと、上ガイドと下ガイドにより前記気化フィルターが上下に折り返し部分を持つように前記気化フィルターを引掛け張設するフィルターガイドと、前記気化フィルターに水を供給する給水部と、前記上ガイドと前記気化フィルターとの接触面上に設けた突起部とを備え、前記突起部の先端が前記気化フィルターに向かって下向きとなるように配置したことを特徴とする加湿器。
【発明の詳細な説明】
【技術分野】
【０００１】
本発明は、室内の乾燥を防止するための加湿器に関するものである。
【背景技術】
【０００２】
従来からの加湿器等に搭載される気化フィルターの構成として、流入する空気と気化フィルターの濡れ面との接触面積を広くするために、帯状シートである気化フィルターをその上下方向に折り返し部分を持たせて設置し、この気化フィルターの上部から給水を行う給水部を備えた加湿器が知られている（特許文献１）。
【０００３】
また、ベルト状に構成して上下方向にローラーを配し張設される気化フィルターについて開示されている（特許文献２）。
【先行技術文献】
【特許文献】
【０００４】
【特許文献１】実開昭６３−１０１７２５号公報
【特許文献２】特開平０３−１０５１２７号公報
【発明の概要】
【発明が解決しようとする課題】
【０００５】
このような従来の気化フィルターでは、折り返し部分を設けたことにより、気化フィルターを引掛けて折り返し部分の内側から張り支えるためのフィルターガイドが必要となるが、図４に示すように、気化フィルター２とフィルターガイド３との接触面が生まれることにより、気化フィルター２の上部より給水すると、気化フィルター２から接触面を介してフィルターガイド３側へと水が流れ出し、フィルターガイド３の下方に落下してしまい気化フィルター２を湿潤させないといった問題点があった。
【０００６】
本発明は上記課題を解決するためのもので、給水した水が気化フィルターを湿潤させることなくフィルターガイドを伝って落下するのを抑制し、確実に気化フィルター全体に水を供給することのできる加湿器を提供することを目的とする。
【課題を解決するための手段】
【０００７】
本発明は、水分を含浸させた後に気化させる帯状の気化フィルターと、上ガイドと下ガイドにより前記気化フィルターが上下に折り返し部分を持つように前記気化フィルターを引掛け張設するフィルターガイドと、前記気化フィルターに水を供給する給水部と、前記上ガイドと前記気化フィルターとの接触面上に設けた突起部とを備え、前記突起部の先端が前記気化フィルターに向かって下向きとなるように配置したことを特徴とする加湿器に係わるものである。
【発明の効果】
【０００８】
上述の構成にすることにより、供給された水が全て気化フィルターに流れるため、気化フィルター以外の部分を伝って下方に落下することなく、確実に気化フィルターに給水することができる。
【図面の簡単な説明】
【０００９】
【図１】本発明の加湿器の縦断面構成図である。
【図２】本発明のフィルターガイドの上ガイドと気化フィルターの接触面近傍の拡大図である。
【図３】本発明のフィルターガイドの上ガイドと気化フィルターの他の実施例における接触面近傍の拡大図である。
【図４】従来のフィルターガイドの上ガイドと気化フィルターの接触面近傍の拡大図である。
【発明を実施するための形態】
【００１０】
好適と考える本発明の最良の形態を、本発明の作用効果を示して簡単に説明する。
【００１１】
本発明は、水分を含浸させて気化させる帯状の気化フィルターと、上ガイドと下ガイドにより気化フィルターが上下方向において折り返し部分を持つように気化フィルターを引掛け張設するフィルターガイドと、気化フィルターの上部に水を供給する給水部とを備えており、上ガイドにおいて気化フィルターとの接触面上に突起部を設けるとともに、この突起部の先端が気化フィルターに向かって下向きとなるように配置した加湿器に係わるものである。
【００１２】
つまり、上ガイドに設けた突起部の先端を下向きとしたことで、この先端が気化フィルターとの他の接触面よりも低い位置となるため、気化フィルターと上ガイドの接触面から一旦上ガイド側に水が流れたとしても、その後は必ず突起部を伝って気化フィルターの方に向かって水が流れる。
【００１３】
これにより、気化フィルターを湿潤させることなくフィルターガイドの下方に落下してしまうことが解消され、確実に気化フィルターへ水を供給させることができるのである。
【実施例１】
【００１４】
以下、本発明の一実施例を図面により説明する。なお、この発明は本形状に限定されるものではなく、適宜変更してもよい。
【００１５】
図１は加湿器の縦断面構成図であり、１は加湿器本体、２は気化フィルター、３は上ガイド３ａ、下ガイド３ｂを備え、気化フィルター２を上下方向に折り返し部分を作るようにして気化フィルター２を張り広げるためのフィルターガイド、４は上ガイド３ａ上に設けられた突起部、５は気化フィルター２の上部より水を供給する給水部、６は図示しない水タンクから供給される水および気化フィルター２より流れ落ちた余分の水を一時的に貯える水槽部、７は乾燥した室内空気を本体１内部に取り込む吸気口、８は吸気口７から取り込んだ室内空気を気化フィルター２に通過させることで加湿させて室内に排出するための吹出口、９は送風機である。
【００１６】
図２は上ガイド３ａと気化フィルター２の接触面近傍の拡大図であり、１０は給水部５に設けられた注水孔である。
【００１７】
上ガイド３ａは帯状である気化フィルター２を張り広げるため円筒状となっており、この上ガイド３ａの軸方向に均一な間隔にて給水部５に複数の注水孔１０を設けている。
【００１８】
気化フィルター２の上側折り返し部分を張設するために設置した上ガイド３ａ上に設けられた突起部４はその先端が鋭角形状となっており、この突起部４を鋭角に形成するためにその上面４ａ、下面４ｂの先端はいずれも水平面よりも下向きとなるように傾斜させている。したがって、突起部４の先端は気化フィルター２と上ガイド３ａとの接触面の下端部となる。
【００１９】
次に、上記構成からなる動作と作用について説明する。
【００２０】
本体１に供給された水は一旦水槽部６に溜められ、図示しないポンプ機構によって気化フィルター２の上部に配置された給水部５に汲み上げられ、給水部５に設けた注水孔１０から気化フィルター２へと供給される。
【００２１】
供給された水は、気化フィルター２の上部から下部に向かって浸透しながら流下し、気化フィルター２全体を湿潤せしめる。
【００２２】
送風機９の運転により、吸気口７から室内の乾燥した空気が取り込まれ、この乾燥した空気が湿潤した気化フィルター２を通過することにより湿度を含んで加湿空気となり、吹出口８から室内へと加湿空気が放出される。
【００２３】
ここで、給水部５から気化フィルター２へ給水するときの水の流れについて、さらに説明する。
【００２４】
注水孔１０から気化フィルター２に水を供給すると、注水孔１０近傍の気化フィルター２より水が順次浸透して気化フィルター２下部に伝わり、一方では、気化フィルター２と上ガイド３ａとの間隙にも水が浸透し、この接触面を通じて突起部上面４ａへと流れる。
【００２５】
突起部４の先端は気化フィルター２と上ガイド３ａとの接触面よりも下方に向かって形成されており、またこの先端は気化フィルター２に接していることから、気化フィルター２と上ガイド３ａとの間隙に流れた水は全て突起部４の先端より気化フィルター２へと流れる。
【００２６】
以上のことにより、上ガイド３ａに突起部４を設けたことによって、供給された水は全て気化フィルター２の湿潤に寄与させることが可能となる。
【００２７】
また、突起部４を設けたことで供給された水は全て気化フィルター２に流れるようにしているため、例えば上ガイド３ａから下方にある下ガイド３ｂあるいは水槽部６に水が落下する場合のような、比較的高い位置から落下したときに生ずる耳障りな着水音をなくすことができ、使用者に不快感を与えないといった更なる効果がある。
【実施例２】
【００２８】
図３は上ガイド３ａと気化フィルター２の他の実施例における接触面近傍の拡大図である。
【００２９】
中空棒状に形成した上ガイド３ａの内部に図示しないポンプ機構によって汲み上げた水を送り込むことで、上ガイド３ａ内を給水部５として構成し、上ガイド３ａ上の軸方向に複数の注水孔１０を設けている。これにより、気化フィルター２の上部から気化フィルター２全体を湿潤せしめる。
【００３０】
また、上ガイド３ａは気化フィルター２との接触面の下端部を鋭角形状として、その先端が上ガイド３ａの最下部に配置されるように形成しており、この鋭角部分を突起部４としている。突起部４を構成する上面４ａ、下面４ｂの先端はいずれも水平面よりも下向きに傾斜している。
【００３１】
次に、給水部５から気化フィルター２へ給水するときの水の流れについて説明する。
【００３２】
上ガイド３ａ上の注水孔１０より給水を開始すると、上ガイド３ａと気化フィルター２との接触面から気化フィルター２に水が浸透し気化フィルター２下部へと伝わり、一方では、注水孔１０から気化フィルター２と上ガイド３ａとの間隙を伝わり突起部４へと流れる。
【００３３】
突起部４の先端は上ガイド３ａの最下部に配置されており、また気化フィルター２に接していることから、気化フィルター２と上ガイド３ａとの間隙に流れた水は全て突起部４より気化フィルター２へと流れる。
【００３４】
以上により、突起部４によって、供給された水は全て気化フィルター２の湿潤に寄与させることが可能となる。
【符号の説明】
【００３５】
２    気化フィルター
３    フィルターガイド
４    突起部
５    給水部
【図１】
0005450349.tif 000002
【図２】
0005450349.tif 000003
【図３】
0005450349.tif 000004
【図４】
0005450349.tif 000005